(57)【要約】【課題】  広い面積のスキッシュエリアを形成して強いスキッシュ流を生成できると共に、生成したスキッシュ流を点火プラグ近傍に確実に移送できる内燃機関の燃焼室構造を提供する。【解決手段】  ピストン頂面の吸気側にピストン３の軸線と直交する平面状のスキッシュ面１５を形成して、このスキッシュ面１５とシリンダヘッド側の平面状のスキッシュ面１２との間でスキッシュエリア１６を形成すると共に、ピストン頂面にスキッシュ面１５から点火プラグ７近傍に向けて連続して隆起するようにスキッシュガイド面１７を形成し、ピストン３の圧縮上死点近傍でスキッシュエリア１６によりスキッシュ流を生成して、スキッシュガイド面１７により点火プラグ７に向けて案内する。【選択図】      図１
2006183512.tif 000002
【特許請求の範囲】
【請求項１】
ピストン頂面の吸気側端縁から吸気ポート近傍までの領域、又はピストン頂面の排気側端縁から排気ポート近傍までの領域の少なくとも一方に上記ピストンの軸線と直交するように形成され、該ピストンの圧縮上死点近傍でシリンダヘッド下面に形成された平坦部との間でスキッシュエリアを形成する平面部と、
上記ピストン頂面のうち、上記平面部を除く周縁に形成された円錐状のテーパ部と、
上記平面部から燃焼室内の点火プラグ近傍に向けて連続して隆起するように形成された隆起部と、
上記テーパ部と上記隆起部とに囲まれて形成された凹部と
を備えたことを特徴とする内燃機関の燃焼室構造。
【請求項２】
上記ピストン頂面のテーパ部と上記シリンダヘッド下面との間にスキッシュエリアが形成されたことを特徴とする請求項１記載の内燃機関の燃焼室構造。
【請求項３】
上記シリンダヘッドの下面がペントルーフ型に形成され、該ペントルーフを形成する一対の傾斜面が交わる稜線に上記点火プラグが配設されると共に、上記ピストンの圧縮上死点近傍で上記傾斜面の一側が上記ピストン頂面の隆起部に対して所定の間隔をおいて対向することを特徴とする請求項１記載の内燃機関の燃焼室構造。
【発明の詳細な説明】
【技術分野】
【０００１】
本発明は火花点火式内燃機関の燃焼室構造に関するものである。
【背景技術】
【０００２】
ピストン頂面と燃焼室を形成するシリンダヘッド下面との間にスキッシュエリアを形成し、ピストンの圧縮上死点近傍でスキッシュエリア内に位置する吸気（空気又は混合気）にスキッシュ流を生成させて燃焼を促進するようにした内燃機関の燃焼室構造が実施されている。スキッシュ流による作用は吸気の攪拌のみならず、燃焼室中央付近の点火プラグに向けて吸気を移送する作用も得られるが、スキッシュ流はスキッシュ面に対して下向きの成分を多く含むため、スキッシュ面を水平に（即ち、ピストンの軸線と直交するように）形成した場合、燃焼室内でスキッシュ面より若干上方に位置する点火プラグへの十分なスキッシュ流の移送は望めない。
【０００３】
そこで、斜め上方に向けてスキッシュ流を生成させるようにした燃焼室構造が提案されている（例えば、特許文献１参照）。この特許文献１に開示された燃焼室構造では、ピストン頂面の周縁に円錐状をなすスキッシュ面を形成し、これによりペントルーフ型燃焼室を形成するシリンダヘッド下面との間で、平面視において燃焼室の周縁側から中央に向けて、側面視において斜め上方に向けてスキッシュ流を生成して点火プラグへの移送を図っている。
【特許文献１】特開平１０−１８４３６６号公報（図１）
【発明の開示】
【発明が解決しようとする課題】
【０００４】
しかしながら、ピストン側のスキッシュ面が円錐状をなすのに対して、シリンダヘッド下面はペントルーフ型燃焼室を形成すべく主に吸気側及び排気側に傾斜する２平面からなるため、ピストンの圧縮上死点近傍においてスキッシュ流を生成可能な所定の間隔を形成するのはごく狭い領域に過ぎず、当該領域から僅かに周方向に離間すると間隔が拡大してスキッシュ流の生成には貢献しなくなる。よって、強いスキッシュ流を生成できないため、必然的に点火プラグへのスキッシュ流の移送も十分でなく、確実な改善策とは言い難かった。
【０００５】
本発明はこのような問題点を解決するためになされたもので、その目的とするところは、広い面積のスキッシュエリアを形成して強いスキッシュ流を生成できると共に、生成したスキッシュ流を点火プラグ近傍に確実に移送でき、もってスキッシュ流による燃焼促進作用を十分に得ることができる内燃機関の燃焼室構造を提供することにある。
【課題を解決するための手段】
【０００６】
上記目的を達成するため、請求項１の発明は、ピストン頂面の吸気側端縁から吸気ポート近傍までの領域、又はピストン頂面の排気側端縁から排気ポート近傍までの領域の少なくとも一方にピストンの軸線と直交するように形成され、ピストンの圧縮上死点近傍でシリンダヘッド下面に形成された平坦部との間でスキッシュエリアを形成する平面部と、ピストン頂面のうち、平面部を除く周縁に形成された円錐状のテーパ部と、平面部から燃焼室内の点火プラグ近傍に向けて連続して隆起するように形成された隆起部と、テーパ部と隆起部とに囲まれて形成された凹部とを備えたものである。
【０００７】
従って、隆起部とテーパ部とに囲まれることによりピストン頂面上に容易に凹部を形成可能となり、機関の吸気行程では、燃焼室内に導入された吸気主流が凹部形状に案内されながら上方に反転して回転方向のベクトルを付与されるため、吸気慣性効果が生じて吸気充填量の増大作用が得られる。
その後、吸気行程から圧縮行程への移行によりピストンが上昇して圧縮上死点近傍に達すると、ピストン頂面の平面部とシリンダヘッド下面の平坦部との間のスキッシュエリアが狭まって、スキッシュエリア内に位置する吸気によりスキッシュ流が生成され、生成されたスキッシュ流は、平面部から連続して隆起する隆起部により移送方向を斜め上方に変更されて点火プラグ近傍に到達する。
【０００８】
そして、ピストン側の平面部とシリンダヘッド側の平坦部とが共に平面状であるため、広い領域がスキッシュエリアとして機能してスキッシュ流の生成に貢献し、結果として強いスキッシュ流が生成され、更に生成されたスキッシュ流の移送方向が隆起部により点火プラグ側に変更されるため、スキッシュ流は確実に点火プラグ近傍に移送される。
請求項２の発明は、請求項１において、ピストン頂面のテーパ部とシリンダヘッド下面との間にスキッシュエリアを形成したものである。
【０００９】
従って、ピストンの圧縮上死点近傍ではピストン頂面の周縁に形成されたテーパ部とシリンダヘッド下面との間にスキッシュエリアが形成され、このスキッシュエリアにより燃焼室の略中央に向かうスキッシュ流が生成されるため、スキッシュ流をより確実に点火プラグに移送可能となる。
請求項３の発明は、請求項１において、シリンダヘッドの下面がペントルーフ型に形成され、ペントルーフを形成する一対の傾斜面が交わる稜線に点火プラグが配設されると共に、ピストンの圧縮上死点近傍で傾斜面の一側がピストン頂面の隆起部に対して所定の間隔をおいて対向するものである。
【００１０】
従って、点火プラグ近傍に向けて隆起するピストン頂面の隆起部とペントルーフの吸気側又は排気側の傾斜面とは、ピストンが圧縮上死点近傍まで上昇したときに所定の間隙をおいて対向する。その結果、ピストン頂面の平面部とシリンダヘッド下面の平坦部との間で生成されたスキッシュ流は、この所定の間隙内を点火プラグに向けて案内されて一層確実に点火プラグに到達する。
【００１１】
好ましい態様として、吸気弁又は排気弁との干渉を回避すべくピストン頂面にバルブリセスが形成され、ピストン頂面の吸気側端縁又は排気側端縁からバルブリセスまでの領域に平面部を形成することが望ましい。
このようにピストン頂面の吸気側端縁又は排気側端縁からバルブリセスまでの領域を平面部とした場合には、吸気弁や排気弁との干渉を回避するためのバルブリセスをそれほど深く形成する必要がなくなり、深いバルブリセスにより燃焼室の表面積が増大したり吸気流動が妨げられたりする好ましくない現象を防止して、これらの現象による燃焼効率の低下を未然に防止できる。
【００１２】
又、別の好ましい態様として、吸排気方向においてピストン頂面の平面部が形成されていない側に向けて吸排気弁及び点火プラグをオフセットすることが望ましい。このように構成すれば、平面部の吸排気方向の寸法、ひいてはスキッシュエリアの面積を十分に確保することができる。
【発明の効果】
【００１３】
以上説明したように請求項１の発明の内燃機関の燃焼室構造によれば、ピストン頂面の平面部とシリンダヘッド下面の平坦部との間で広いスキッシュエリアを形成して強いスキッシュ流を生成できると共に、生成したスキッシュ流を隆起部により点火プラグ近傍に確実に移送でき、もってスキッシュ流による燃焼促進作用を十分に得ることができ、加えてピストン頂面の凹部により吸気主流に回転方向のベクトルを付与して吸気慣性効果により吸気流量を増大することができる。
【００１４】
請求項２の発明の内燃機関の燃焼室構造によれば、請求項１に加えて、ピストン頂面の周縁に形成したテーパ部を利用してスキッシュ流を生成し、点火プラグにスキッシュ流をより確実に移送することができる。
請求項３の発明の内燃機関の燃焼室構造によれば、請求項１に加えて、ピストン頂面の隆起部とペントルーフの吸気側又は排気側の傾斜面との間に形成される間隙によりスキッシュ流を案内し、点火プラグにスキッシュ流をより確実に移送することができる。
【発明を実施するための最良の形態】
【００１５】
以下、本発明を吸気管噴射型内燃機関の燃焼室構造の一実施形態を説明する。
図１は本実施形態の内燃機関の燃焼室構造を示す側断面図、図２は同じく燃焼室構造を示す平断面図、図３は図２のIII−III線に対応するピストン頂面のキャビティを示す側断面図である。なお、これらの図では内燃機関の１気筒分の断面を示しているが、他の気筒も全く同様の断面形状をなしている。
【００１６】
図１において内燃機関のシリンダブロック１に形成されたシリンダ２内にはピストン３が上下方向に摺動可能に配設され、シリンダブロック１上に固定されたシリンダヘッド４の下面にはピストン３に対応して凹部５が形成され、これらの凹部５とピストン３の頂面により燃焼室６が形成されている。図２の平面視において燃焼室６の略中央には点火プラグ７が配設され、点火プラグ７を中心として燃焼室６の右側（以下、吸気側と称する）には一対の吸気弁８が配設され、燃焼室６の左側（以下、排気側と称する）には同じく一対の排気弁９が配設されている。図１の側面視において吸気弁８は右方に傾斜し、排気弁９は左方に傾斜し、吸排気弁８，９の間には所定の挟み角が形成されている。
【００１７】
シリンダヘッド下面の凹部５は、吸排気弁８，９の傘部に倣って吸気側及び排気側へ逆方向に傾斜する２平面を有し、結果として燃焼室６はペントルーフ型をなしている。以下、凹部５の２平面を吸気側傾斜面１０及び排気側傾斜面１１と称し、両傾斜面１０，１１が交わる稜線に上記点火プラグ７が配置されている。排気側傾斜面１１がシリンダ２内の排気側周縁まで延設されているのに対し、吸気側傾斜面１０は吸気弁８の傘部の最下端近傍を終端とし、この終端からシリンダ２の吸気側周縁までの領域には、ピストン３の軸線と直交する水平なスキッシュ面１２（平坦部）が形成されている。なお、スキッシュ面１２はシリンダブロック上面に当接するシリンダヘッド下面と面一に設定されている。
【００１８】
シリンダヘッド４上には図示しない動弁機構が配設され、機関の運転時には動弁機構のカムシャフトによりクランク軸の回転（即ち、ピストン３の上下動）に同期した所定のタイミングで吸排気弁８，９が作動し、吸気弁８は吸気ポート１３を開閉し、排気弁９は排気ポート１４を開閉する。
図１の側面視において、ピストン頂面の吸気側にはピストン３の軸線と直交する水平な平面状なすスキッシュ面１５（平面部）が形成され、スキッシュ面１５はシリンダヘッド側のスキッシュ面１２と対応している。ピストン３が圧縮上死点のときに、スキッシュ面１５はシリンダヘッド４側のスキッシュ面１２に対して平行を保った状態で所定の間隙をおいて対向し、以下、この間隙をスキッシュエリア１６と称する。ここで、ピストン側のスキッシュ面１５とシリンダヘッド側のスキッシュ面１２とが共に平面であることから、図２に示すように、両スキッシュ面１２，１５の間には広い領域のスキッシュエリア１６が形成されている。
【００１９】
ピストン３のスキッシュ面１５について詳述すると、スキッシュ面１５は吸気弁８の傘部の最下端近傍からピストン頂面の吸気側周縁までの領域に形成され、スキッシュ面１５の高さは吸気弁８の傘部の最下端と略一致している。又、図２の平面視においてスキッシュ面１５は全体としてピストン頂面の吸気側の周縁に沿った略三日月状をなしている。
ピストン頂面のスキッシュ面１５の排気側にはスキッシュガイド面１７（隆起部）が形成されている。図２の平面視において、スキッシュガイド面１７は略三日月状のスキッシュ面１５に沿いながらピストン頂面を一方から他方に横断する平面状に形成され、図１の側面視において、スキッシュガイド面１７はスキッシュ面１５の高さから燃焼室中央（即ち、点火プラグ７）に向けて連続して直線状に隆起する断面形状をなしている。
【００２０】
吸気弁８の個所の断面図である図１では示されていないが、ピストン３が圧縮上死点のときに、スキッシュガイド面１７は燃焼室６の吸気側傾斜面１０に対して平行を保った状態で所定の間隙をおいて対向し、以下、この間隙をガイドエリア１８と称し、このガイドアリア１８は上記スキッシュエリア１６に対して連続している。
ピストン頂面において、上記スキッシュ面１５を除く周縁全体には円錐状をなすようにテーパ部１９が形成され、テーパ部１９は上記スキッシュガイド面１７と同じく燃焼室中央に向けて直線状に隆起する断面形状をなしている。テーパ部１９の両端はスキッシュガイド面１７の両端と接続され、結果としてスキッシュガイド面１７とテーパ部１９とはピストン頂面上で環状をなすように連続し、その吸気側にスキッシュ面１５が位置するレイアウトとなる。
【００２１】
テーパ部１９はスキッシュ面として機能し、ピストン３が圧縮上死点近傍のときにシリンダヘッド下面の凹部５の周縁との間で所定のスキッシュエリア２０を形成する。尚、図１ではテーパ部１９と排気側傾斜面１１との間のスキッシュエリア２０が示されているが、他の個所でも同様のスキッシュエリア２０が形成されている。
ピストン頂面のスキッシュガイド面１７とテーパ部１９とにより囲まれた領域は緩やかに凹設され、これによりピストン頂面にキャビティ２１（凹部）が形成されている。キャビティ２１は圧縮比調整を目的とした浅皿形状ではなく、後述するように燃焼室６内での吸気移送に貢献できる比較的深い形状をなすが、ピストン頂面がスキッシュガイド面１７とテーパ部１９とにより隆起しているため、このような深いキャビティ２１でも容易に形成できる。
【００２２】
尚、２２は、吸気弁８及び排気弁９との干渉を回避すべくピストン頂面に形成されたバルブリセスである。
ここで、上記のようにピストン頂面のスキッシュ面１５は吸気弁８の吸気側に設けられているため、スキッシュ面１５の吸排気方向の寸法は吸気弁８により制限されるが、図２から明らかなように吸気弁８、点火プラグ７、排気弁９が相互の位置関係を保ったまま排気側にオフセットされていることから、スキッシュ面１５の吸排気方向の寸法、ひいてはスキッシュエリア１６の面積が十分に確保されている。又、オフセットの結果、排気弁９に対してより大径の吸気弁８が比較的スペースに余裕があるシリンダ中心側に移動するため、結果としてシリンダ２に制限されることなく所期の吸気弁径を設定可能となり、燃焼室周辺の各構成部品の寸法や位置関係を全体としてバランス良く設定できる。
【００２３】
次に、以上のように構成された内燃機関の燃焼室構造によって奏される吸気移送及びスキッシュ流の生成について詳述する。
内燃機関の運転時中において、機関の吸気通路を流通する吸気には図示しない燃料噴射弁から燃料が噴射され、吸気は混合気として吸気ポート１３に到達する。機関が吸気行程となって動弁機構のカムシャフトにより吸気弁８が開弁されると、吸気ポート１３の吸気はピストン３の下降に伴って燃焼室６に導入される。燃焼室６に導入された吸気主流は、吸気行程の初期にピストン頂面のキャビティ形状に沿って案内されながら上方に反転して回転方向のベクトルを付与される。そして、付与されたベクトルは吸気行程後半でも持続することから、高い吸気慣性効果が生じて燃焼室６への吸気充填量が大幅に増大する。
【００２４】
一方、内燃機関が吸気行程から圧縮行程に移行し、図１に示すようにピストン３が上昇して圧縮上死点近傍に達すると、ピストン側のスキッシュ面１５とシリンダヘッド側のスキッシュ面１２とが相互に接近してスキッシュエリア１６が狭まり、スキッシュエリア１６内に位置する吸気によりスキッシュ流が生成される。このとき、上記のように平面状のスキッシュ面１２，１５により広い領域のスキッシュエリア１６が形成されていることから、例えばピストン側に円錐状のスキッシュ面を設けた特許文献１の技術に比較すると、スキッシュ流の生成に広い領域のスキッシュエリア１６が貢献し、結果として生成されるスキッシュ流が遥かに強いものとなる。
【００２５】
そして、スキッシュエリア１６の吸気側はシリンダ２により閉塞されているため、スキッシュ流は燃焼室中央側に向けて生成される。生成されたスキッシュ流は、ピストン頂面のスキッシュ面１５から連続して隆起するスキッシュガイド面１７により移送方向を斜め上方、即ち燃焼室６の略中央に位置する点火プラグ７に向かう方向に変更され、ガイドエリア１８に案内されて点火プラグ近傍に到達する。
【００２６】
このように、生成したスキッシュ流を確実に点火プラグ近傍に移送できるため、スキッシュ流による燃焼促進作用を十分に得ることができる。結果として上記した吸気慣性効果による吸気流量の増大と相俟って機関出力向上、燃費向上、排ガス性能向上等の種々の利点を得ることができる。
一方、ピストン頂面には吸排気弁８，９、特に径が大きな吸気弁８との干渉を回避するためにバルブリセス２２を形成する必要があり、例えば特許文献１の技術のように円錐状のスキッシュ面の形成によりピストン頂面が隆起している場合には、吸気弁８との干渉回避のためにかなり深いバルブリセス２２が必要となる。そして、バルブリセス２２が深くなるほど燃焼室６の表面積が増大したり、バルブリセス２２により吸気流動が妨げられたりする好ましくない現象が顕著になるが、本実施形態では吸気弁８の傘部の最下端近傍（即ち、バルブリセス２２の端）からピストン頂面の吸気側周縁までの領域を平面状のスキッシュ面１５としているため、吸気弁８との干渉回避のためのバルブリセス２２をそれほど深く形成する必要がなく、上記現象に起因する燃焼効率の低下を未然に防止できるという利点もある。
【００２７】
以上で実施形態の説明を終えるが、本発明の態様はこの実施形態に限定されるものではない。例えば上記実施形態では、吸気管噴射型内燃機関の燃焼室構造として具体化したが、機関の形式はこれに限らず、例えば筒内噴射型内燃機関の燃焼室構造に具体化してもよい。
又、上記実施形態では、燃焼室６内の吸気側にスキッシュ面１２，１５及びスキッシュガイド面１７を設けてスキッシュの生成と案内を行ったが、これらのスキッシュ面１２，１５及びスキッシュガイド面１７を排気側に設け、排気側でスキッシュ流を生成して点火プラグ７まで移送するようにしてもよい。
【００２８】
又、上記実施形態では、スキッシュガイド面１７を平面状に形成したが、例えば図５に示すように吸排気と直交する方向に凹状断面としてもよい。このように構成すれば、スキッシュガイド面１７の凹みに沿ってスキッシュ流が流れるため、より強いスキッシュ流を点火プラグ近傍に移送することができる。
【図面の簡単な説明】
【００２９】
【図１】実施形態の内燃機関の燃焼室構造を示す側断面図である。
【図２】同じく燃焼室構造を示す平断面図である。
【図３】図２のIII−III線に対応するピストン頂面のキャビティを示す側断面図である。
【図４】図２のIV−IV線に対応するピストン頂面のスキッシュガイド面を示す側断面図である。
【図５】図２のIV−IV線に対応するピストン頂面のスキッシュガイド面の別例を示す側断面図である。
【符号の説明】
【００３０】
３    ピストン
４    シリンダヘッド
７    点火プラグ
１２  スキッシュ面（平坦部）
１３  吸気ポート
１４  排気ポート
１５  スキッシュ面（平面部）
１６  スキッシュエリア
１７  スキッシュガイド面（隆起部）
１９  テーパ部
２１  キャビティ（凹部）
【図１】
2006183512.tif 000003
【図２】
2006183512.tif 000004
【図３】
2006183512.tif 000005
【図４】
2006183512.tif 000006
【図５】
2006183512.tif 000007